(57)【要約】【課題】静電容量式タッチキーを備えた食器洗い機において、水滴による静電結合によってキーの誤入力が起こることを防止し、タッチキー入力の信頼性が高く、操作性に優れた食器洗い機を実現する。【解決手段】扉１５または洗浄槽１の上面部２８に設置した静電容量を検知して動作するタッチキー入力部１７のキー４０、４１、４２を、一列に並んだ電極部２１、２２、２３を樹脂板２５で覆った構成とすることによって、静電結合をする場所に水の溜りを起こさない構成にすることで水を介した静電結合の可能性を低くして誤入力が起こることを防止することができる。【選択図】図１
2012115489.tif 000002
【特許請求の範囲】
【請求項１】
被洗浄物の洗浄ならびに乾燥を行う洗浄乾燥手段と、前記被洗浄物を収納する洗浄槽と、前記洗浄槽の前方に位置する扉と、前記扉または前記洗浄槽の上面部に設置した静電容量を検知して動作するキー入力手段と、前記キー入力手段からの信号を処理する制御手段とを備え、前記キー入力手段は、一列に並んだ電極部をカバーで覆った複数のキー部を有する構成とした食器洗い機。
【請求項２】
前記扉の閉止時、前記制御手段は前記キー入力手段からのキー入力を無効とする請求項１に記載の食器洗い機。
【請求項３】
前記カバーの使用者が接触する面に前記洗浄槽側に向けて下る方向へ傾斜を設けた請求項１または２に記載の食器洗い機。
【請求項４】
前記カバーの使用者が触れる部分に撥水処理を行った請求項１〜３のいずれか一項に記載の食器洗い機。
【請求項５】
前記カバーは前記キー入力手段の電気部品部が載置されているプリント基板よりも大きくし、前記カバー周縁からの前記プリント基板への水の浸入を防止する手段を有する請求項１〜４のいずれか一項に記載の食器洗い機。
【請求項６】
前記カバーは、前記プリント基板が嵌合するくぼみを有し、樹脂成型で作成された請求項１〜５のいずれか一項に記載の食器洗い機。
【請求項７】
前記カバーの使用者が接触する部分にくぼみを設けた請求項１〜６のいずれか一項に記載の食器洗い機。
【請求項８】
前記キー入力手段の入力感度設定用コンデンサをコンデンサカバーで覆った請求項１〜７のいずれか一項に記載の食器洗い機。
【発明の詳細な説明】
【技術分野】
【０００１】
本発明は洗浄槽内に収納した食器類を洗浄する食器洗い機のキー入力装置に関するものである。
【背景技術】
【０００２】
家庭用の食器洗い機では、食器類を収容した洗浄槽に給水源から水を供給し、洗浄槽の底に水を溜め、その水を洗浄ポンプにより吸引して洗浄ノズルへと圧送し、洗浄ノズルに設けた水噴射穴から食器類に水を噴射することによって食器類の洗い及びすすぎを行う構成となっている。またそれらの機能を有効にするためのキー入力装置がある。
【０００３】
キー入力装置として、平面状にキーを配列したタッチキー入力は操作性の良さ、デザインの斬新さなどの特長から、機械的な接点を開閉するメカニカルスイッチに代わって用いられることが多くなっている。タッチキーの中でも使用者の静電容量の変化を検知してキー入力を行う静電タッチスイッチはその中でも主流となっているが、静電容量を検知する方式特有の欠点も有している。それは、キーの表面の水の存在により、本来は検知されるべき所定のキーと指との静電容量変化が検知できなくなったり、静電容量の誤結合により、意図しないキーが入力されたりすることである。また入力しないキーが、水滴を介した電気的結合で、意図しないのに入力されてしまうなどの可能性があった。
【０００４】
そのような誤作動につながる水の発生場所として、食器類を収容した洗浄槽が考えられ、洗浄中の水が、扉を開けた時に飛散するのを防ぐ構成が考えられている（例えば、特許文献１参照）。
【０００５】
図１４に示すように、食器洗い機の制御回路１０１には、扉が触られたかどうかを検知する扉タッチセンサ１０２、扉がロックされているかどうかの信号を出力する扉ロックセンサ１０３、各入力キー１０４の信号が入力され、それらの信号から、洗浄ポンプやノズル部などの洗浄機能部１０５を制御し、また扉のロックを行うソレノイド１０６を制御している。
【０００６】
図１５には制御回路１０１の制御のフローチャートを示しており、例えば洗浄中に停止キーが押され、扉の取手が触れられた時を想定したフローが開示されている。取手を持たれたことが、扉タッチセンサ１０２によって検知された時、制御回路１０１は洗浄動作停止（ステップＳ１０１）を行い、洗浄ポンプ等が停止するまで、設定時間Ａ待機（ステップＳ１０２）を行う。そしてその後、ソレノイド１０６をＯＮ（ステップＳ１０３）して洗浄槽内の圧力が下がり、水滴の飛散が収まるのを待つ。それから設定時間Ｂ待機（ステップＳ１０４）を行って、ソレノイド１０６をＯＦＦ（ステップＳ１０５）して扉を開けられる状態にする。
【０００７】
このように、洗浄の停止指示から実際の扉の開成動作に至るまでに時間余裕を設け、洗浄槽からの水の飛散を抑えようとするものである。
【先行技術文献】
【特許文献】
【０００８】
【特許文献１】特開昭６２−２６１３２２号公報
【発明の概要】
【発明が解決しようとする課題】
【０００９】
しかしながら、洗浄途中の扉の開成時の水の飛散は、上記構成で避けられるとはいうものの、台所など水を使う環境では、入力キー部に水が付着することは避けられず、特に食器洗い機の扉近傍に静電容量式のタッチキー入力部を設置するような構成では、キー入力部に水滴が存在しても、誤動作を起こさない、水に強いキー入力部構成が求められていた。
【００１０】
本発明は、以上のような従来の食器洗い機が有している課題を解決するものであり、食器洗い機の静電容量式のタッチキーの入力の確実性を確保し、操作性に優れた食器洗い機を提供することを目的とするものである。
【課題を解決するための手段】
【００１１】
被洗浄物の洗浄ならびに乾燥を行う洗浄乾燥手段と、前記被洗浄物を収納する洗浄槽と、前記洗浄槽の前方に位置する扉と、前記扉または前記洗浄槽の上面部に設置した静電容量を検知して動作するキー入力手段と、前記キー入力手段からの信号を処理する制御手段とを備え、前記キー入力手段は、一列に並んだ電極部をカバーで覆った複数のキー部を有する構成としたものである。
【００１２】
この構成によって、キー部の水滴を速やかに流し去り、キー部の水滴による静電容量の誤結合を防止し、キー入力の確実性向上を図るものである。
【発明の効果】
【００１３】
本発明の食器洗い機は、キー入力手段部分を一列に並んだ電極部をカバーで覆った複数のキー部を有する構成としたことにより、キー部の水滴たまりを速やか解消することができ、水に強く、タッチキーの入力の確実性を確保し、かつ操作性に優れた食器洗い機を実現することができる。
【図面の簡単な説明】
【００１４】
【図１】本発明の実施の形態１における食器洗い機の模式図
【図２】本発明の実施の形態１における食器洗い機の側断面図
【図３】本発明の実施の形態１における食器洗い機のタッチキー入力部の構成を示す模式図
【図４】本発明の実施の形態１における食器洗い機の信号入力ならびに表示部回路図
【図５】本発明の実施の形態１における食器洗い機の入力表示部信号のタイミングチャート
【図６】本発明の実施の形態１における食器洗い機のタッチＩＣ内部信号のタイムチャート
【図７】本発明の実施の形態１における食器洗い機の他の例の信号入力ならびに表示部回路図
【図８】本発明の実施の形態１における食器洗い機の信号取り込みのフローチャート
【図９】本発明の実施の形態２における食器洗い機のタッチキー入力部の構成を示す模式図
【図１０】本発明の実施の形態３における食器洗い機のタッチキー入力部の構成を示す模式図
【図１１】本発明の実施の形態４における食器洗い機のタッチキー入力部の断面図
【図１２】本発明の実施の形態５における食器洗い機のタッチキー入力部の構成を示す模式図
【図１３】本発明の実施の形態６における食器洗い機のプリント基板の部品実装面の模式図
【図１４】従来の食器洗い機の制御構成のブロック図
【図１５】従来の食器洗い機の制御のフローチャート
【発明を実施するための形態】
【００１５】
第１の発明は、被洗浄物の洗浄ならびに乾燥を行う洗浄乾燥手段と、前記被洗浄物を収納する洗浄槽と、前記洗浄槽の前方に位置する扉と、前記扉または前記洗浄槽の上面部に設置した静電容量を検知して動作するキー入力手段と、前記キー入力手段からの信号を処理する制御手段とを備え、前記キー入力手段は、一列に並んだ電極部をカバーで覆った複数のキー部を有する構成としたもので、キー部の水滴を速やかに流し去り、キー部の水滴による静電容量の誤結合を防止し、キー入力の確実性向上を図ることができる。
【００１６】
第２の発明は、特に第１の発明において、前記扉の閉止時、前記制御手段は前記キー入力手段からのキー入力を無効とするものであり、食器洗い機動作中の誤動作を防止できるとともに、静電容量式のタッチキーの操作の信頼性を向上させることができる。
【００１７】
第３の発明は、特に第１または第２の発明において、前記カバーの使用者が接触する面に前記洗浄槽側に向けて下る方向へ傾斜を設けたものであり、キー部の水滴を速やかに洗浄槽方向に流し去り、キー部の水滴による静電容量の誤結合を防止し、水の存在によるキーの誤入力を避けることができる。
【００１８】
第４の発明は、特に第１〜第３の発明のいずれか１つの発明において、前記カバーの使用者が触れる部分に撥水処理を行ったものであり、カバーの使用者が触れる部分への水滴の付着を防止し、キー部の水滴による静電容量の誤結合を防止し、キー入力の確実性向上を図ることができる。
【００１９】
第５の発明は、特に第１〜第４の発明のいずれか１つの発明において、前記カバーは前記キー入力手段の電気部品部が載置されているプリント基板よりも大きくし、前記カバー周縁からの前記プリント基板への水の浸入を防止する手段を有するものであり、水滴の電気部品部への浸入を防ぐことができる。
【００２０】
第６の発明は、特に第１〜第５の発明のいずれか１つの発明において、前記カバーは、前記プリント基板が嵌合するくぼみを有し、樹脂成型で作成されたものであり、水滴の電気部品部への浸入を防ぐことができる。
【００２１】
第７の発明は、特に第１〜第６の発明のいずれか１つの発明において、前記カバーの使用者が接触する部分にくぼみを設けたものであり、指を所定のキーの場所に導き、キー入力の確実性向上を図ることができる。また、くぼみも傾斜を持っていることによって、キー部の水滴を速やかに洗浄槽方向に流し去り、静電容量キーの入力の信頼性を高めることができる。
【００２２】
第８の発明は、特に第１〜第７の発明において、前記キー入力手段の入力感度設定用コンデンサをコンデンサカバーで覆ったものであり、耐湿用のコーティング剤のコンデンサ容量への影響をなくし、一定の感度で安定的なキー入力を確保することができる。
【００２３】
以下、本発明の実施の形態について、図面を参照しながら説明する。なお、この実施の形態によって本発明が限定されるものではない。
【００２４】
（実施の形態１）
以下に本発明の実施の形態１における食器洗い機の構成を説明する。図１は本発明の実施の形態１における食器洗い機の模式図、図２は同食器洗い機の側断面図である。
【００２５】
図１、図２において、洗浄槽１には食器かご２が収納され、食器かご２には食器類３（
被洗浄物）が収納されている。洗浄槽１の下部には洗浄手段を構成する洗浄ノズル４が洗浄ポンプ５と連通して設置されている。洗浄槽１の底には残菜をろ過する残菜フィルター６が設置され、循環経路７、洗浄ポンプ５、循環経路８、洗浄ノズル４から再び洗浄槽１に連なる洗浄水の流路が形成されている。また、給水口９は給水ホース１０と給水弁１１を介して洗浄槽１に連なっている。
【００２６】
一方、洗浄ポンプ５の吐出口１２は排水ホース１３を介して機外に連通している。洗浄ポンプ５が洗浄時と逆方向に駆動されると洗浄ポンプ５は排水口を通して吸い込んだ水が排水ホース１３を通じて機外へと排水される。洗浄槽１の底部の洗浄ノズル４の下方には加熱手段としてのヒータ１４が配設されている。なお、洗浄ノズル４、洗浄ポンプ５、給水弁１１、ヒータ１４等を総称して洗浄乾燥手段と呼ぶ。
【００２７】
洗浄槽１の手前部には扉１５を形成して、位置させており、扉１５内の空間には、洗浄乾燥手段を制御して食器洗いの工程を実行する制御手段１６が設置されている。また、洗浄槽１は前方に引くことによって、上方に設けた開口部から食器類３を入れる洗浄槽１が現れる構成となっている。
【００２８】
扉１５の洗浄槽１方向へ下る方向へ傾斜した上面部２８には、「コース」キー４０、「乾燥」キー４１、「予約」キー４２等の複数のキー部を有するタッチキー入力部１７（キー入力手段）が設置され、タッチキー入力部１７の手前に近接させて、使用者の指２６をタッチキー入力部１７へ誘導する張り出し部１８が設置されている。張り出し部１８の手前の位置の扉１５前面には、電源を入切するためのキーである「電源  入／切」キー１９および、食器洗い機の洗浄すすぎ動作、乾燥動作などの開始や、一時停止を指示する「一時停止／スタート」キー２０が設置されている。この「電源  入／切」キー１９と「一時停止／スタート」キー２０は体の近接、接触などによる誤入力を避けるためにメカニカルスイッチで構成されている。
【００２９】
図３は本発明の実施の形態１におけるタッチキー入力部１７の構成を示す模式図である。タッチキー入力部１７は、図３に示すように、ほぼ横方向に一列に並んだ「コース」電極２１、「乾燥」電極２２、「予約」電極２３の丸型電極部や電子部品を搭載したプリント基板２４と、プリント基板２４の上方に設けられ、「コース」電極２１、「乾燥」電極２２、「予約」電極２３の上を覆う厚さ３ｍｍ程度のアクリル樹脂などで作られたカバーである樹脂板２５からなっている。樹脂板２５はプリント基板２４の表面に銅箔で作成された丸型電極部と密着するように設置され、樹脂板２５面に触れた使用者の指２６と上記丸型電極部の静電結合によってキーの入力が検知される構成になっている。樹脂板２５とプリント基板２４はビス２７によって扉１５の上面部２８に共締めされている。
【００３０】
「コース」電極２１、「乾燥」電極２２、「予約」電極２３は、「コース」キー４０、「乾燥」キー４１、「予約」キー４２に、それぞれ対応している。
【００３１】
この構成で、タッチキー入力部１７上に水などの液体がかかっても上面部２８による傾斜に沿って洗浄槽１側に流れ落ちる。そのため水の存在によるキーの誤入力を避けることが可能となる。
【００３２】
図４は本発明の実施の形態１における信号入力ならびに表示部回路図である。また、図５は本発明の実施の形態１における入力表示部信号のタイミングチャートであり、（ａ）は動的キー入力動作や表示動作の基準になるスキャン信号、（ｂ）はマイコン２９の入力信号、（ｃ）はマイコン２９の表示出力端子の信号の推移を示す。
【００３３】
制御手段１６の中のマイコン２９の出力端子Ｃ０〜Ｃ２からは、図５の（ａ）で示され
る繰り返し信号（スキャン信号という）が常時出力されている。
【００３４】
図４において、「コース」電極２１、「乾燥」電極２２、「予約」電極２３はそれぞれ電極部と指２６の間の静電容量からタッチを認識するタッチＩＣ３０の「コースｉｎ」端子、「乾燥ｉｎ」端子、「予約ｉｎ」端子につながっている。「コースｉｎ」端子の信号は、信号状態に応じて「コースｏｕｔ」端子に出力され、「乾燥ｉｎ」端子の信号は、信号状態に応じて「乾燥ｏｕｔ」端子に出力され、「予約ｉｎ」端子の信号は、信号状態に応じて「乾燥ｏｕｔ」端子に出力される構成となっている。またタッチＩＣ３０には信号処理の感度を設定する感度設定用のコンデンサ３１が接続されている。
【００３５】
「コースｏｕｔ」端子にはＰ型ＭＯＳＦＥＴトランジスタ（以下ＰＭＯＳトランジスタ）Ｑ１のゲート端子が、「乾燥ｏｕｔ」端子にはＰＭＯＳトランジスタＱ２のゲート端子が、が、「予約ｏｕｔ」端子にはＰＭＯＳトランジスタＱ３のゲート端子がつながっており、それぞれのＳ（ソース）とＤ（ドレイン）間の導通を制御する構成となっている。
【００３６】
表示用ＬＥＤ群３２はダイオード群３３を介してマイコン２９の出力端子Ｃ０〜Ｃ２から信号が供給され、表示出力端子Ｂ０〜Ｂ４の端子に接続されている。
【００３７】
また「電源  入／切」スイッチ３４は「電源  入／切」キー１９を押した時に動作するメカニカルスイッチ、「一時停止／スタート」スイッチ３５は「一時停止／スタート」キー２０を押した時に動作するメカニカルスイッチであり、タッチキー入力部１７のプリント基板２４とは別のプリント基板（図示せず）上に形成されている。
【００３８】
図５の（ａ）において出力端子Ｃ０がｈｉｇｈのタイミングで、（ｂ）の入力端子Ａ０がｈｉｇｈになり、コース入力があったことを示している。また（ａ）の出力端子Ｃ２がｈｉｇｈのタイミングで（ｃ）の表示出力端子Ｂ１がｌｏｗになることで順方向に電圧が印加され、図４の「乾燥６０分表示ＬＥＤ」３６が点灯し、（ａ）の出力端子Ｃ０がｈｉｇｈのタイミングで（ｃ）の表示出力端子Ｂ２がｌｏｗになることで順方向に電圧が印加され、図４の「高温表示ＬＥＤ」３７が点灯する。
【００３９】
図６は本発明の実施の形態１におけるタッチＩＣ３０の内部信号のタイムチャートである。タッチＩＣ３０は内部で静電結合の度合いをタッチカウントレベル３８に変換する。また、ベースラインレベル３９は、タッチカウントレベル３８に一定の時間遅れで追随する信号であり、タッチカウントレベル３８とベースラインレベル３９の差が一定値（スレッショルド）を越えた時、タッチＩＣ３０の出力端子にｌｏｗの信号レベルが出力される。
【００４０】
図６では指２６が「コース」を選択しようとする時の信号レベルの変化を図示している。まず、指２６が「コース」電極２１に近づいた時（タッチ区間１）、ベースラインレベル３９はＭａｘに向けて増加する。ベースラインレベル３９も追随するが、タッチカウントレベル３８の増加のスピードはベースラインレベル３９の増加スピードより大きいので、タッチカウントレベル３８とベースラインレベル３９の差が所定値（ＯＮスレッショルド）Ｔｈ１を越え、コースｏｕｔ出力端子にｌｏｗが出力される。このｌｏｗ信号が、ＰＭＯＳトランジスタＱ１を導通させ、出力端子Ｃ０のｈｉｇｈ信号がマイコン２９の入力端子Ａ０に入り、「コース」キー４０がタッチされたと認識される。
【００４１】
ここで指２６が離れると、タッチカウントレベル３８が下がり、ベースラインレベル３９の差が所定値（ＯＦＦスレッショルド）Ｔｈ２よりも小さくなった時に、コースｏｕｔ出力にｈｉｇｈが出力され、ＰＭＯＳトランジスタＱ１の導通を停止させ、出力端子Ｃ０のｈｉｇｈ信号がマイコン２９の入力端子信Ａ０に入らなくなってタッチが解消したと認
識される。
【００４２】
再度指２６が「コース」電極２１に近づいた時（タッチ区間２）、ベースラインレベル３９はＭａｘに向けて増加する。ベースラインレベル３９も追随するが、タッチカウントレベル３８の増加のスピードはベースラインレベル３９の増加スピードより大きいので、タッチカウントレベル３８とベースラインレベル３９の差が所定値（ＯＮスレッショルド）Ｔｈ１を越え、コースｏｕｔ出力にｌｏｗが出力される。このｌｏｗ信号が、ＰＭＯＳトランジスタＱ１を導通させ、出力端子Ｃ０のｈｉｇｈ信号がマイコン２９の入力端子Ａ０に入り、「コース」キー４０（図１）がタッチされたと認識される。
【００４３】
ここで指２６を近づけたままにしておいた場合、タッチカウントレベル３８は一定値のままであるが、ベースラインレベル３９が追随してきて差が一定値（ＯＦＦスレッショルド）Ｔｈ２よりも小さくなり、コースｏｕｔ出力にｈｉｇｈが出力され、ＰＭＯＳトランジスタＱ１の導通を停止させ、出力端子Ｃ０のｈｉｇｈ信号がマイコン２９の入力端子Ａ０に入らなくなってタッチが解消される。すなわち指２６を近づけたままにしていてもマイコン２９はタッチを認識しない。つまり押し続け（長押し）は認識しないように構成されている。
【００４４】
「コース」キー４０は、食器洗い機の基本動作である「洗浄」、「すすぎ」、「乾燥」の一連の工程をあらかじめ設定した幾通りかの実行方法を選ぶキーであり、選んだ「コース」は表示用ＬＥＤ群３２の対応するＬＥＤが表示を行う。「乾燥」キー４１は「乾燥」時間の選択を行うキーであり、選択した乾燥時間は表示用ＬＥＤ群３２の対応するＬＥＤが表示を行う。「予約」キー４２は「予約」時刻（１時間後の動作開始、予約せずすぐスタートなど）を選択するキーであり、選択した予約時間は表示用ＬＥＤ群３２の対応するＬＥＤが表示を行う。
【００４５】
「乾燥」キー４１、「予約」キー４２にタッチした時もタッチＩＣ３０は「コース」キー４０のときと同様の動作を行い、対応する出力端子、乾燥ｏｕｔ出力端子、予約ｏｕｔ出力端子に信号の出力を行う。
【００４６】
図７は本発明の実施の形態１における他の例の信号入力ならびに表示部回路図である。この例では、図４で示した構成に加えて、マイコン２９の入力端子Ｄ０にはドアスイッチ６０のＣ端子がつながっている。扉１５が開いた状態ではＣ端子はＮＣ端子とつながっており入力端子Ｄ０には電源電圧（ｈｉｇｈレベル）が入力される。一方、扉１５が閉じられた時はＣ端子はＮＯ端子とつながり、抵抗Ｒ１を通じてグランド電圧（ｌｏｗレベル）が入力端子Ｄ０に入力される。このようにして、マイコン２９はＤ０端子の信号レベルで扉１５が開いているか、閉じられているかを認識する。そして扉１５が閉じていると認識した時には、たとえタッチＩＣ３０からの出力があっても、その信号を無視するように動作するよう構成してある。
【００４７】
このように、図７に示した構成によれば、使用者が操作できる状態でない時の入力を無視することで、キー操作の信頼性は向上する。また静電容量式のタッチキーのキー面に水滴が存在すると、水が導体のように作用し、複数の電極が電気的につながり、また意図しない電極と指２６が静電結合することによって誤入力を起こすことがある。しかし樹脂板２５を傾斜して作成する構成とすることにより、このような意図しない入力動作を避けることができる。
【００４８】
図８は、図７に示した構成の信号入力ならびに表示部における信号取り込みのフローチャートであり、Ｄ０の入力状態から、ドアが閉じているかどうか判定し、閉じていれば（ｌｏｗレベルならば）タッチキーの入力があったかをＣ０〜Ｃ２のスキャン信号とＡ０〜
Ａ１の入力端子のレベルから判断する。タッチキーからの入力であった時には入力を無視し、タッチキーの入力でなければキーの処理を行う。一方、ドアが閉じていなければ、その際は、通常のキー処理を行う。
【００４９】
扉１５が閉じられた時、物理的に押せない位置に置かれるメカニカルキーであれば、動作中に誤動作する可能性は非常に少ないが、静電容量で検出するタッチキーの場合は、物理的に指２６を近づけなければ動作する可能性がないとは言い切れない。従って、タッチキーを使う必要のない時、この場合扉１５を閉じた場合をドアスイッチ６０で検出してタッチキーからの入力信号が検出された時でも、キー検知と判定しないことにより、操作の信頼性が大いに向上する。
【００５０】
（実施の形態２）
図９は本発明の実施の形態２における食器洗い機のタッチキー入力部の構成を示す模式図である。図３に示した実施の形態１との相違点は、図９において、丸型電極部や電子部品を搭載したプリント基板２４を覆う樹脂板２５（カバー）は厚さが均一ではなく、指２６が接近する上面側が、手前から奥（洗浄槽１側）に向けて下る方向へ傾斜が付けられている点である。他の構成は実施の形態１と同じであり、詳細な説明は省略する。
【００５１】
このように樹脂板２５に傾斜をつけることによって、樹脂板２５上の水滴は洗浄槽１へ流れ落ち、水の存在によるキーの誤入力を避けることが可能となる。また、撥水剤を樹脂板２５の表面に塗布することによって、大きな水滴はできにくくなり、入力の信頼性が一層向上する。樹脂板２５表面には、フッ素樹脂、ポリテトラフルオロエチレンなどの撥水剤が塗布され、水が樹脂板２５の表面に溜まることを防いでいる。
【００５２】
（実施の形態３）
図１０は本発明の実施の形態３における食器洗い機のタッチキー入力部の構成を示す模式図である。図９に示した実施の形態２に加えて、図１０に示すように、樹脂板２５はプリント基板２４よりも大きな外形を持ち、扉１５の上面部２８に掘り込み６１を設けて埋め込む構成とし、掘り込み６１の周縁にネオプレンゴム等で作られたパッキン６２を設置してある。他の構成は実施の形態２と同じであり、詳細な説明は省略する。
【００５３】
この大きな樹脂板２５でプリント基板２４を覆い、扉１５の上面部２８との隙間を防水用のパッキン６２で覆う構成によって、樹脂板２５周縁から丸型電極部や電子部品を搭載した電気部品部への水滴の浸入を防ぐことができる。
【００５４】
（実施の形態４）
図１１は本発明の実施の形態４における食器洗い機のタッチキー入力部の構成を示す断面図である。図１１において、樹脂板２５のプリント基板２４と接触する面（下面）には、プリント基板２４が嵌合するくぼみ６３が形成されている。他の構成は実施の形態２と同じであり、詳細な説明は省略する。
【００５５】
この樹脂板２５のくぼみ６３の中にプリント基板２４を埋め込んでしまう構成によって、水滴の電気部品部への浸入を防ぐことができる。また、指２６の接触する面（上面）は洗浄槽１方向に下る傾斜を設けることによって水滴による誤入力を防止することも可能となる。また、樹脂板２５は金型で樹脂成型することにより、一工程で成形でき、製造も容易である。
【００５６】
（実施の形態５）
図１２は本発明の実施の形態５における食器洗い機のタッチキー入力部の構成を示す模式図である。図１２において、樹脂板２５の指２６と接する面で、「コース」電極２１、
「乾燥」電極２２、「予約」電極２３の上に当たる部分には手前から奥に下る方向に傾斜を持った指ガイド部６４が樹脂板２５の上面よりくぼませてそれぞれ作成されている。他の構成は実施の形態２と同じであり、詳細な説明は省略する。
【００５７】
この樹脂板２５の指ガイド部６４のくぼんだ構造によって指２６が所定のキーの場所に導かれ、また、くぼみも傾斜を持っていることによって、水滴も溜まらず、静電容量キーの入力の信頼性も一層向上する。
【００５８】
（実施の形態６）
図１３は本発明の実施の形態６における食器洗い機のプリント基板２４の部品実装面の模式図である。図１３においてタッチＩＣ３０の感度設定用のコンデンサ３１をコンデンサカバー６５で覆っている。プリント基板２４の湿度対策に施されるシリコン樹脂やウレタン樹脂製のコーティング剤６６の中に、コンデンサ３１が埋没するのを防いでいる。なお、本実施の形態におけるタッチキー入力部１７の構成は、上記実施の形態１〜５のいずれの構成も適用できる。また、他の構成は実施の形態１と同じであり、詳細な説明は省略する。
【００５９】
コンデンサ３１がコーティング剤６６の中に埋没すると、コンデンサ３１の静電容量が変化し、タッチＩＣ３０の感度が変化する。コンデンサカバー６５でコーティング剤６６とコンデンサ３１が接触しないようにすることによって、安定的なキー入力を確保することができる。
【００６０】
なお、タッチキー入力部１７を設けた上面部２８は、本実施の形態では扉１５の一部として構成したが、洗浄槽１の一部として構成してもよいし、扉１５および洗浄槽１とは別体として構成してもよい。
【００６１】
以上のように、本発明は、キー部の水滴を速やかに流し去り、キー部の水滴による静電容量の誤結合を防止し、キー入力の確実性を向上させた食器洗い機を実現することができる。
【産業上の利用可能性】
【００６２】
このように、本発明によると、キー部の水滴による静電容量の誤結合を防止し、キー操作の確実性を向上させることができるので、家庭用の食器洗い機のみならず、産業用の食器洗浄システムなどにも利用することが可能となる。
【符号の説明】
【００６３】
１  洗浄槽
２  食器かご
３  食器類（被洗浄物）
４  洗浄ノズル
５  洗浄ポンプ
６  残菜フィルター
７、８  循環経路
９  給水口
１０  給水ホース
１１  給水弁
１２  吐出口
１３  排水ホース
１４  ヒータ
１５  扉
１６  制御手段
１７  タッチキー入力部（キー入力手段）
１８  張り出し部
１９  「電源  入／切」キー
２０  「一時停止／スタート」キー
２１  「コース」電極
２２  「乾燥」電極
２３  「予約」電極
２４  プリント基板
２５  樹脂板（カバー）
２６  指
２８  上面部
２９  マイコン
３０  タッチＩＣ
３１  コンデンサ
３２  表示用ＬＥＤ群
３３  ダイオード群
３４  「電源  入／切」スイッチ
３５  「一時停止／スタート」スイッチ
３６  「乾燥６０分表示ＬＥＤ」
３７  「高温表示ＬＥＤ」
３８  タッチカウントレベル
３９  ベースラインレベル
４０  「コース」キー
４１  「乾燥」キー
４２  「予約」キー
６０  ドアスイッチ
６１  掘り込み
６２  パッキン
６３  くぼみ
６４  指ガイド部
６５  コンデンサカバー
６６  コーティング剤
【図２】
2012115489.tif 000003
【図３】
2012115489.tif 000004
【図４】
2012115489.tif 000005
【図５】
2012115489.tif 000006
【図６】
2012115489.tif 000007
【図７】
2012115489.tif 000008
【図８】
2012115489.tif 000009
【図９】
2012115489.tif 000010
【図１１】
2012115489.tif 000011
【図１２】
2012115489.tif 000012
【図１４】
2012115489.tif 000013
【図１５】
2012115489.tif 000014
【図１】
2012115489.tif 000015
【図１０】
2012115489.tif 000016
【図１３】
2012115489.tif 000017